(57)【要約】【課題】自動的に漏電ブレーカを復旧させて原因の把握と改修に要する時間を短縮した漏電検知自動復旧システムを提供する。【解決手段】本発明の漏電検知自動復旧システム５０は、基地局に設置された基地サーバ１とネットワーク２を介して情報の授受を行ない、コンセント、複数のブレーカ、及び漏電ブレーカ６を制御するスマートメータ４と、スマートメータ４により絶縁抵抗履歴情報及び各負荷への送電状況を表示する表示部３と、漏電及び契約電力の超過時に主電力線７の電力を遮断する漏電ブレーカ６と、主電力線７に夫々接続され、各負荷と接続され規定の電流値を超過した場合に電路を遮断するブレーカ９、１０、１３、１４、１７、１８と、を備えている。【選択図】図１
2013172599.tif 000002
【特許請求の範囲】
【請求項１】
電力線を介して信号を授受する第１通信手段、負荷への電力の供給状態を表示する表示部、及び前記第１通信手段により受信した信号に基づいて前記表示部を制御する表示制御部を夫々備えた複数のコンセントと、
該複数のコンセントの上流側に配置され、前記電力線を介して信号を授受する第２通信手段、該電力線を断接する第１遮断器、及び前記第２通信手段により受信した信号に基づいて前記第１遮断器の断接を制御するブレーカ制御部を備えた複数のブレーカと、
前記複数のブレーカが接続された主電力線に備えられ、該主電力線を介して信号を授受する第３通信手段、該主電力線を断接する第２遮断器、及び前記第３通信手段により受信した信号に基づいて前記第２遮断器を制御する漏電制御部を備えた漏電ブレーカと、
前記主電力線の上流側に配置され、基地局に設置されたサーバと情報の授受を行なう情報通信手段、前記各負荷の絶縁抵抗履歴情報を記憶する記憶手段、前記第１通信手段乃至第３通信手段との間で情報の授受を行なう第４通信手段、及び該第４通信手段により受信した信号に基づいて前記コンセント、前記複数のブレーカ、及び前記漏電ブレーカを制御する主制御手段を備えたスマートメータと、を備えたことを特徴とする漏電検知自動復旧システム。
【請求項２】
前記主制御手段は、前記第１通信手段乃至第３通信手段により受信した情報の中に前記コンセントに接続された負荷の絶縁抵抗値が異常値を示す情報がある場合、前記第２遮断器を断状態とするように前記漏電ブレーカに指示することを特徴とする請求項１に記載の漏電検知自動復旧システム。
【請求項３】
前記主制御手段は、前記第２遮断器を断状態とした後に、前記記憶手段に記憶されている直近の絶縁抵抗履歴情報を参照して、前記絶縁抵抗値が異常値である負荷を特定することを特徴とする請求項１又は２に記載の漏電検知自動復旧システム。
【請求項４】
前記主制御手段は、前記特定した負荷が接続されたコンセントへの電力の供給を停止するために該コンセントが接続されたブレーカの前記第１遮断器を断状態とすると共に、当該ブレーカ以外の前記第１遮断器を接状態とするように前記各ブレーカに指示することを特徴とする請求項１乃至３の何れか一項に記載の漏電検知自動復旧システム。
【請求項５】
前記主制御手段は、前記漏電ブレーカの前記第２遮断器を接状態とした後に、前記特定した負荷の絶縁抵抗値を測定し、該絶縁抵抗値が正常であった場合は、この旨を表示手段に表示すると共に、現在の各負荷への送電状況を表示することを特徴とする請求項１乃至４の何れか一項に記載の漏電検知自動復旧システム。
【請求項６】
前記コンセントに負荷を特定する情報を記憶した非接触情報記録媒体の記録情報を読取るリーダを備えたことを特徴とする請求項１に記載の漏電検知自動復旧システム。
【発明の詳細な説明】
【技術分野】
【０００１】
本発明は、漏電検知自動復旧システムに関し、特に、漏電した負荷を自動的に切り離して、他の正常な負荷の電力を自動的に復旧させる漏電検知自動復旧システムに関するものである。
【背景技術】
【０００２】
従来から電力の供給を受ける各需要家には、電力使用料を課金するための積算電力計と、漏電の検知と各負荷に電力を分配するための安全装置としてのブレーカを備えた分電盤とがある。図６は、従来の分電盤の一例を示す図である。ＡＣ電力線７０から受電して使用電力量を積算する積算電力計５４と、需要家内の総電力を監視して契約電力量を超過した場合に全ての電力を遮断すると共に、負荷が絶縁不良を起こした場合に流れる漏電を検知して全ての電力を遮断する漏電ブレーカ５６、及び各負荷の経路ごとに配置され、所定の電流値を超過したときに当該経路を遮断する複数のブレーカ５９、６０、６３、６４、６７、６８を備えた分電盤８０と、を備えている。
ここで例えば、ブレーカ６４に接続された洗濯機６５が絶縁不良を起こした場合、漏電ブレーカ５６はこの漏電（地絡電流）を検知して、漏電ブレーカ５６を遮断する。この結果、各ブレーカに接続された負荷には電力が供給されなくなる。利用者はこの時点で停電したことを認識する。しかし、その原因が何処にあるのかは判断できないため、電力会社に連絡して調査を依頼するか、各コンセントから負荷を取り除いて、再度、漏電ブレーカ５６を手動でオンして状態を観察する。
従来技術として特許文献１には、ブレーカ動作後に回路が正常であれば、外部からの動作指令信号に基づいてブレーカのスイッチを自動復旧するブレーカ自動復旧装置について開示されている。
【先行技術文献】
【特許文献】
【０００３】
【特許文献１】特開２００１−１１８４８３号公報
【発明の概要】
【発明が解決しようとする課題】
【０００４】
しかしながら、一般需要家での対処においては、どの負荷が原因かを的確に把握することが困難である。また、再現性が無い現象の場合は、電力会社から調査にきても現象が把握できるとは限らないため、再発する危険性がある。
また、特許文献１に開示されている従来技術は、落雷等に起因する過電流や漏電によるブレーカ動作において、監視センサが回路の正常を感知すれば自動復旧するが、回路に異常がある場合の対応方法は、従来どおり電力会社が復旧対応しなければならない。
本発明は、かかる課題に鑑みてなされたものであり、負荷に絶縁不良が発生した場合に、自動的に当該負荷を特定して特定した負荷の系統を遮断し、正常な系統には電力を供給することにより、原因の把握と改修に要する時間を短縮した漏電検知自動復旧システムを提供することを目的とする。
【課題を解決するための手段】
【０００５】
本発明はかかる課題を解決するために、請求項１は、電力線を介して信号を授受する第１通信手段、負荷への電力の供給状態を表示する表示部、及び前記第１通信手段により受信した信号に基づいて前記表示部を制御する表示制御部を夫々備えた複数のコンセントと、該複数のコンセントの上流側に配置され、前記電力線を介して信号を授受する第２通信手段、該電力線を断接する第１遮断器、及び前記第２通信手段により受信した信号に基づいて前記第１遮断器の断接を制御するブレーカ制御部を備えた複数のブレーカと、前記複数のブレーカが接続された主電力線に備えられ、該主電力線を介して信号を授受する第３通信手段、該主電力線を断接する第２遮断器、及び前記第３通信手段により受信した信号に基づいて前記第２遮断器を制御する漏電制御部を備えた漏電ブレーカと、前記主電力線の上流側に配置され、基地局に設置されたサーバと情報の授受を行なう情報通信手段、前記各負荷の絶縁抵抗履歴情報を記憶する記憶手段、前記第１通信手段乃至第３通信手段との間で情報の授受を行なう第４通信手段、及び該第４通信手段により受信した信号に基づいて前記コンセント、前記複数のブレーカ、及び前記漏電ブレーカを制御する主制御手段を備えたスマートメータと、を備えたことを特徴とする。
【０００６】
本発明では、各負荷に接続されたコンセントの電力を断接するブレーカに対して、複数のブレーカを接続した主電力線を断接する漏電ブレーカが、通信手段を介して負荷の絶縁抵抗値を収集して制御する分電盤に関する発明である。この分電盤は基地サーバと接続されたスマートメータにより管理される。スマートメータは、各ブレーカから受信した負荷の絶縁抵抗値情報を履歴情報としてメモリに記憶する。従って、負荷の絶縁抵抗値に異常が生じたときは、直近の絶縁抵抗値情報を参照して異常な負荷を特定する。スマートメータは特定した負荷が接続されたブレーカを断状態として、その他の正常な負荷が接続されたブレーカを接状態とする。これらの情報は、逐一基地サーバに伝送される。これにより、自動的に漏電ブレーカを復旧させて原因の把握と改修に要する時間を短縮することができる。
【０００７】
請求項２は、前記主制御手段は、前記第１通信手段乃至第３通信手段により受信した情報の中に前記コンセントに接続された負荷の絶縁抵抗値が異常値を示す情報がある場合、前記第２遮断器を断状態とするように前記漏電ブレーカに指示することを特徴とする。
主制御手段は、常時、各負荷の絶縁抵抗値を監視している。従って、絶縁抵抗値が異常値（例えば、地絡等）であると検知すると、漏電と判断して第２遮断器を断状態とする。これにより、漏電を検知した場合に即座に電力系統を遮断して安全を確保することができる。
【０００８】
請求項３は、前記主制御手段は、前記第２遮断器を断状態とした後に、前記記憶手段に記憶されている直近の絶縁抵抗履歴情報を参照して、前記絶縁抵抗値が異常値である負荷を特定することを特徴とする。
漏電が発生した場合、安全確保のために即座に漏電ブレーカを遮断する。しかし、この時点では、どの負荷が異常かを判断することはできない。そこで本発明では、直近の絶縁抵抗履歴情報を参照して、その値に対して大きく変動している負荷を異常が発生した負荷として特定する。これにより、負荷の特定を即座に行なうことができる。
【０００９】
請求項４は、前記主制御手段は、前記特定した負荷が接続されたコンセントへの電力の供給を停止するために該コンセントが接続されたブレーカの前記第１遮断器を断状態とすると共に、当該ブレーカ以外の前記第１遮断器を接状態とするように前記各ブレーカに指示することを特徴とする。
主制御手段が異常の負荷が接続されたブレーカの第１遮断器を断状態としたとき、他の正常な負荷にはなるべく早急に電力を供給する必要がある。そこで本発明では、略同時に異常と正常の第１遮断器を制御する。これにより、正常な負荷の復帰を早めることができる。
【００１０】
請求項５は、前記主制御手段は、前記漏電ブレーカの前記第２遮断器を接状態とした後に、前記特定した負荷の絶縁抵抗値を測定し、該絶縁抵抗値が正常であった場合は、この旨を表示手段に表示すると共に、現在の各負荷への送電状況を表示することを特徴とする。
漏電ブレーカを接状態とすると、主電力線に電力が供給される。このときは、特定した負荷には電力を供給していないが、絶縁抵抗値を測定することはできる。測定の結果、絶縁抵抗値が正常であった場合、その旨を表示部に表示すると共に、現在の送電状況を表示する。これにより、利用者は、どの負荷が異常であり、現在の状況がどのような状況であるのかを、即座に把握することができる。
【００１１】
請求項６は、前記コンセントに負荷を特定する情報を記憶した非接触情報記録媒体の記録情報を読取るリーダを備えたことを特徴とする。
各負荷がどのコンセントに接続されるかは予想がつかない。即ち、同じ負荷がコンセントを変えて接続される場合がある。そこで本発明では、各負荷のプラグソケットに当該負荷を特定する情報を記録した非接触情報記録媒体（ＩＣタグ等）を備え、コンセント側にその情報を読取るリーダを備える。そして、プラグソケットがコンセントに差し込まれると、リーダが記録情報を読み込んで負荷を特定することができる。これにより、どのコンセントに負荷が差し込まれても、負荷を特定する情報を取得することができる。
【発明の効果】
【００１２】
本発明によれば、スマートメータは、負荷の絶縁抵抗値に異常が生じたときは、直近の絶縁抵抗値情報を参照して異常な負荷を特定し、特定した負荷が接続されたブレーカを断状態として、その他の正常な負荷が接続されたブレーカを接状態として、これらの情報は、逐一基地サーバに伝送されるので、自動的に漏電ブレーカを復旧させて原因の把握と改修に要する時間を短縮することができる。
また、主制御手段は、絶縁抵抗値が異常値（例えば、地絡等）であると検知すると、漏電と判断して第２遮断器を断状態とするので、漏電を検知した場合に即座に電力系統を遮断して安全を確保することができる。
また、直近の絶縁抵抗履歴情報を参照して、その値に対して大きく変動している負荷を異常が発生した負荷として特定するので、負荷の特定を即座に行なうことができる。
また、主制御手段が異常の負荷が接続されたブレーカの第１遮断器を断状態としたとき、他の正常な負荷にはなるべく早急に電力を供給するために、略同時に異常と正常の第１遮断器を制御するので、正常な負荷の復帰を早めることができる。
また、測定の結果、絶縁抵抗値が正常であった場合、その旨を表示部に表示すると共に、現在の送電状況を表示するので、利用者は、どの負荷が異常であり、現在の状況がどのような状況であるのかを、即座に把握することができる。
また、各負荷のプラグソケットに当該負荷を特定する情報を記録した非接触情報記録媒体（ＩＣタグ等）を備え、コンセント側にその情報を読取るリーダを備え、プラグソケットがコンセントに差し込まれると、リーダが記録情報を読み込んで負荷を特定することができるので、どのコンセントに負荷が差し込まれても、負荷を特定する情報を取得することができる。
【図面の簡単な説明】
【００１３】
【図１】本発明の実施形態に係る漏電検知自動復旧システムの構成を表すブロック図である。
【図２】本発明の実施形態に係る漏電検知自動復旧システムの内部構成の一例を示す図である。
【図３】スマートメータのメモリに記憶する絶縁抵抗履歴情報の一例を示す図である。
【図４】本発明の実施形態に係る漏電検知自動復旧システムの動作について説明するフローチャートである。
【図５】本発明に係るスマートメータが制御する表示部に表示された内容を示す図である。
【図６】従来の分電盤の一例を示す図である。
【発明を実施するための形態】
【００１４】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１５】
図１は本発明の実施形態に係る漏電検知自動復旧システムの構成を表すブロック図である。本発明の漏電検知自動復旧システム５０は、基地局に設置された基地サーバ１とネットワーク２を介して情報の授受を行ない、図２で後述するコンセント（又はアウトレットと呼ぶ、以下、コンセントに統一する）１１、８、複数のブレーカ９、１０、１３、１４、１７、１８、及び漏電ブレーカ６を制御するスマートメータ４と、スマートメータ４により絶縁抵抗履歴情報及び各負荷への送電状況を表示する表示部３と、漏電及び契約電力の超過時に主電力線７の電力を遮断する漏電ブレーカ６と、主電力線７に夫々接続され、各負荷と接続され規定の電流値を超過した場合に電路を遮断するブレーカ９、１０、１３、１４、１７、１８と、を備えている。尚、主電力線７は、単相３線式であり、７ｂが中性線（アース）で、７ａと７ｂ間で１００Ｖ、７ｂと７ｃ間で１００Ｖ、７ａと７ｃ間で２００Ｖの電圧が発生する。また、ブレーカ９には、コンセント８が接続され、ブレーカ１０にはコンセント１１が接続され、ブレーカ１３には照明１２が接続され、ブレーカ１４には洗濯機１５が接続され、ブレーカ１７には２００Ｖエアコン１６が接続され、ブレーカ１８にはＩＨキッチン１９が接続されている。
【００１６】
次に、本実施形態に係る漏電検知自動復旧システムの概略動作について説明する。
本実施形態では、各負荷に接続されたコンセントの電力を断接するブレーカに対して、複数のブレーカを接続した主電力線７を断接する漏電ブレーカ６が、通信手段を介して負荷の絶縁抵抗値を収集して制御する分電盤５１に関する発明である。この分電盤５１は基地サーバ１と接続されたスマートメータ４により管理される。スマートメータ４は、各ブレーカから受信した負荷の絶縁抵抗値情報を履歴情報としてメモリに記憶する。従って、負荷の絶縁抵抗値に異常が生じたときは、直近の絶縁抵抗値情報を参照して異常な負荷を特定する。スマートメータ４は特定した負荷が接続されたブレーカを断状態として、その他の正常な負荷が接続されたブレーカを接状態とする。これらの情報は、逐一基地サーバ１に伝送される。これにより、自動的に漏電ブレーカ６を復旧させて原因の把握と改修に要する時間を短縮することができる。
【００１７】
図２は本発明の実施形態に係る漏電検知自動復旧システムの内部構成の一例を示す図である。図２では、ブレーカとコンセントは夫々１つ図示しているが、他のブレーカとコンセントの内部構成は図２と同じものとする。
スマートメータ４は、主電力線７の上流側に配置され、基地局に設置された基地局サーバ１と情報の授受を行なう通信部（情報通信手段）２１と、各負荷の絶縁抵抗履歴情報を記憶するメモリ（記憶手段）２３と、第３通信手段２８、２９乃至第１通信手段３３との間で情報の授受を行なう第４通信手段２５、及び第４通信手段２５により受信した信号に基づいてコンセント８、ブレーカ９、及び漏電ブレーカ６を制御する制御部（主制御手段）２４と、ＡＣ電力線５から受電して電力量を積算する積算電力計２２と、を備えている。尚、制御部２４には、絶縁抵抗履歴情報及び各負荷への送電状況を表示する表示部３が接続されている。
【００１８】
また、漏電ブレーカ６は、ブレーカ９が接続された主電力線７に備えられ、この主電力線７を介して信号を授受する第３通信手段２８、２９、主電力線７を断接する第２遮断器２７、及びカプラ２８、２９により受信した信号に基づいて第２遮断器２７を制御する漏電制御部２６を備えている。
また、ブレーカ９は、コンセント８の上流側に配置され、電力線２０を介して信号を授受する第２通信手段３２、電力線２０を断接する第１遮断器３１、及び第２通信手段３２により受信した信号に基づいて第１遮断器３１の断接を制御するブレーカ制御部３０を備えている。
また、コンセント８は、電力線２０を介して信号を授受する第１通信手段３３、負荷４１への電力の供給状態を表示するＬＥＤ（表示部）３５、及び第１通信手段３３により受信した信号に基づいてＬＥＤ３５を点灯制御する表示制御部３４を備えている。尚、コンセント８には、負荷４１を特定する情報を記憶したＩＣタグ（非接触情報記録媒体）３８の記録情報を読取るリーダ３６を備えてもよい。
【００１９】
各負荷がどのコンセントに接続されるかは予想がつかない。即ち、同じ負荷がコンセントを変えて接続される場合がある。そこで本実施形態では、各負荷のプラグソケット３９に当該負荷４１を特定する情報を記録したＩＣタグ３８を備え、コンセント８にその情報を読取るリーダ３６を備える。そして、プラグソケット３９がコンセント８のコンセント口４０に差し込まれると、リーダ３６がＩＣタグ３８の記録情報を読み込んで負荷４１を特定する。これにより、どのコンセントに負荷が差し込まれても、負荷を特定する情報を取得することができる。
ここで、第１乃至第４通信手段は、電力線に高周波信号をカプラにより重畳する電力線搬送通信でも良く、専用の通信回線を備えても構わない。
【００２０】
図３はスマートメータのメモリに記憶する絶縁抵抗履歴情報の一例を示す図である。例えば、ブレーカＡにはコンセント１〜４が接続され、各コンセントには負荷Ａ〜Ｄが接続されているとする。そして、各負荷ごとに測定された絶縁抵抗値が記録される。尚、これらの絶縁抵抗値は周期的に更新される。ここで、漏電が発生すると、各負荷の直近の絶縁抵抗値が参照され、現在測定した絶縁抵抗値と比較される。比較の結果、所定の値以上変化した値の負荷が漏電している負荷であると判断する。
【００２１】
図４は本発明の実施形態に係る漏電検知自動復旧システムの動作について説明するフローチャートである。図２を参照して説明する。ここで、スマートメータ４は、一定の周期で各負荷の絶縁抵抗値を測定して、メモリ２３に記憶した絶縁抵抗履歴情報を更新するものとする。
【００２２】
例えば、負荷４１の絶縁抵抗が低下した場合（Ｓ１でＹｅｓ）、その情報はブレーカ９、漏電ブレーカ６を介してスマートメータ４に伝えられる（Ｓ２）。スマートメータ４はその情報から漏電が発生したと判断して漏電ブレーカ６に『切』動作の情報を送信して、その情報を受信した漏電ブレーカ６は第２遮断器２７を断状態とする（Ｓ３）。次に、スマートメータ４は、メモリ２３の直近の絶縁抵抗履歴情報を参照して、現在の絶縁抵抗値が大幅に変化した負荷を異常負荷として特定する（Ｓ４）。即ち、各ブレーカ、各コンセント単位の絶縁抵抗履歴により、コンセント以降の機器不良（どの機器か識別）を確定する。次に、スマートメータ４は、ブレーカ９に接続されたコンセント８に接続された負荷が絶縁不良を起こしているとして記憶する（Ｓ５）。次に、不良負荷はコンセント８からデータ上解列され送電不可となる（Ｓ６）。次に、スマートメータ４は、不良負荷を除いた全ての回路・コンセントへ送電開始を漏電ブレーカ６に指令する（Ｓ７）。その情報を受信した漏電ブレーカ６は、第２遮断器２７を接状態とする（Ｓ８）。次に、スマートメータ４は不良負荷以外の全送電を確認する（Ｓ９）。続いて、スマートメータ４は、不良負荷への仮想送電により、絶縁抵抗値を再確認する（Ｓ１０）。そして、スマートメータ４は絶縁抵抗値が正常値へ復帰していることをデータ上確認し、再送電が可能かを認識する（Ｓ１１）。しかし、この時点で送電はしない。次にスマートメータ４は表示部３へ現在の送電状況および異常内容を伝送する（Ｓ１２）。尚、事前登録により、携帯およびスマートフォンでも同様の情報表示が可能である。そして、表示部３へ負荷４１の絶縁不良が原因で漏電ブレーカが動作し、現在は不良箇所以外全送電を実施していることを表示する（Ｓ１３）。尚、負荷４１の絶縁抵抗値は現在正常値へ復帰し、再送電可能であるが、修理依頼が最適である旨を注意喚起する。また、現状維持か再送電かは利用者の判断とする。再送電の場合は画面上より送電を指示する。ここで、再送電する場合は（Ｓ１４で再送電）、表示部３の「送電開始」４４より指示する（Ｓ１５）。その後、スマートメータ４は、動作履歴を基地サーバ１へ伝送する（Ｓ１６）。尚、ステップＳ１で漏電を検知しない場合（Ｓ１でＮｏ）、ステップＳ１６に進んで、定期的に動作履歴を基地サーバ１へ伝送するようにしてもよい。
【００２３】
即ち、制御部２４は、常時、各負荷の絶縁抵抗値を監視している。従って、絶縁抵抗値が異常値（例えば、地絡等）であると検知すると、漏電と判断して第２遮断器２７を断状態とする。これにより、漏電を検知した場合に即座に電力系統を遮断して安全を確保することができる。また、漏電が発生した場合、安全確保のために即座に漏電ブレーカ６を遮断する。しかし、この時点では、どの負荷が異常かを判断することはできない。そこで本実施形態では、直近の絶縁抵抗履歴情報を参照して、その値に対して大きく変動している負荷を異常が発生した負荷として特定する。これにより、負荷の特定を即座に行なうことができる。また、制御部２４が異常の負荷が接続されたブレーカ９の第１遮断器３１を断状態としたとき、他の正常な負荷にはなるべく早急に電力を供給する必要がある。そこで本実施形態では、略同時に異常と正常の第１遮断器３１を制御する。これにより、正常な負荷の復帰を早めることができる。また、漏電ブレーカ６を接状態とすると、主電力線７に電力が供給される。このときは、特定した負荷には電力を供給していないが、絶縁抵抗値を測定することはできる。測定の結果、絶縁抵抗値が正常であった場合、その旨を表示部３に表示すると共に、現在の送電状況を表示する。これにより、利用者は、どの負荷が異常であり、現在の状況がどのような状況であるのかを、即座に把握することができる。
【００２４】
図５は本発明に係るスマートメータが制御する表示部に表示された内容を示す図である。表示部３には、例えば、左側に需要家の内部の配線状態が表示され、各負荷の位置関係が明示されている。また、右側には、回路別送電状況が表示される。例えば、回路（１）〜（３）までは送電中であり、赤表示され、回路（４）は１Ｆ浴室が一部停電で青表示され、照明は送電中であることが赤表示されている。また、洗濯機は停電中であることが青表示されている。更に回路（５）、（６）は送電中であることが赤表示されている。また、画面の下部に利用者の判断により送電を開始する場合に押す「送電開始」４４と「送電停止」４５のボタンが配置されている。
【００２５】
以上で説明したとおり、本発明に係る漏電検知自動復旧システム５０のスマートメータ４は、負荷４１の絶縁抵抗値に異常が生じたときは、直近の絶縁抵抗値情報を参照して異常な負荷を特定し、特定した負荷が接続されたブレーカ９を断状態として、その他の正常な負荷が接続されたブレーカを接状態として、これらの情報は、逐一基地サーバ１に伝送されるので、自動的に漏電ブレーカ６を復旧させて原因の把握と改修に要する時間を短縮することができる。
【００２６】
また、制御部２４は、絶縁抵抗値が異常値（例えば、地絡等）であると検知すると、漏電と判断して漏電ブレーカ６の第２遮断器２７を断状態とするので、漏電を検知した場合に即座に電力系統を遮断して安全を確保することができる。
また、直近の絶縁抵抗履歴情報を参照して、その値に対して大きく変動している負荷を異常が発生した負荷として特定するので、負荷の特定を即座に行なうことができる。
また、制御部２４が異常の負荷が接続されたブレーカ９の第１遮断器３１を断状態としたとき、他の正常な負荷にはなるべく早急に電力を供給するために、略同時に異常と正常の第１遮断器３１を制御するので、正常な負荷の復帰を早めることができる。
【００２７】
また、測定の結果、絶縁抵抗値が正常であった場合、その旨を表示部３に表示すると共に、現在の送電状況を表示するので、利用者は、どの負荷が異常であり、現在の状況がどのような状況であるのかを、即座に把握することができる。
また、各負荷のプラグソケット３９に当該負荷を特定する情報を記録したＩＣタグ３８を備え、コンセント８にその情報を読取るリーダ３６を備え、プラグソケット３９がコンセント８に差し込まれると、リーダ３６が記録情報を読み込んで負荷４１を特定することができるので、どのコンセントに負荷が差し込まれても、負荷を特定する情報を取得することができる。
【符号の説明】
【００２８】
１  基地サーバ、２  ネットワーク、３  表示部、４  スマートメータ、５  ＡＣ電力線、６  漏電ブレーカ、７  主電力線、８、１１  コンセント、９、１０、１３、１４、１７、１８  ブレーカ、１２  照明、１５  洗濯機、１６  ２００Ｖエアコン、１９  ＩＨキッチン、２０  電力線、２１  通信部、２２  積算電力計、２３  メモリ、２４  制御部、２５  第４通信手段、２６  漏電制御部、２７  第２遮断器、２８、２９  第３通信手段、３０  ブレーカ制御部、３１  第１遮断器、３２  第２通信手段、３３  第１通信手段、３４  表示制御部、３５  ＬＥＤ、３６  リーダ、３７  電磁波、３８  ＩＣタグ、３９  プラグソケット、４０  コンセント口、４１  負荷、４２  モデル化した家屋内の配線状態を示す図である。４３  回路別送電状況のボタン、４４  送電開始を示すボタン、４５  送電停止を示すボタン、５０  漏電検知自動復旧システム、５１  分電盤
【図１】
2013172599.tif 000003
【図２】
2013172599.tif 000004
【図３】
2013172599.tif 000005
【図４】
2013172599.tif 000006
【図５】
2013172599.tif 000007
【図６】
2013172599.tif 000008